(57)【要約】【課題】本発明は、たとえ建材一体型太陽電池モジュールの一部が発火しても、屋根下地側への延焼を防止できる屋根構造及び屋根構造の製造方法を提供する。【解決手段】複数の建材一体型太陽電池モジュールを建屋の屋根下地に対して軒棟方向に並設したものであり、軒先金具と、軒先水切り部材と、防火部材を有し、軒先金具は、屋根下地の軒先部分に取り付けられ、建材一体型太陽電池モジュールの端部を保持するものであり、軒先水切り部材は、屋根下地の軒先部分に取り付けられ、屋根下地から軒棟方向下方側に張り出すものであり、防火部材は、金属箔又は金属板を含むものであって、軒棟方向の長さが建材一体型太陽電池モジュールの２倍以上の長さであり、防火部材は、建材一体型太陽電池モジュールと屋根下地との間に配され、軒先側の部分が軒先金具と軒先水切り部材に挟まれている構成とする。【選択図】図５
2020186584.tif 000002
【特許請求の範囲】
【請求項１】
複数の建材一体型太陽電池モジュールを建屋の屋根下地に対して軒棟方向に並設した屋根構造であって、
軒先金具と、軒先水切り部材と、防火部材を有し、
前記軒先金具は、前記屋根下地の軒先部分に取り付けられ、前記建材一体型太陽電池モジュールの端部を保持するものであり、
前記軒先水切り部材は、前記屋根下地の軒先部分に取り付けられ、前記屋根下地から軒棟方向下方側に張り出すものであり、
前記防火部材は、金属箔又は金属板を含むものであって、軒棟方向の長さが前記建材一体型太陽電池モジュールの２倍以上の長さであり、
前記防火部材は、前記建材一体型太陽電池モジュールと前記屋根下地との間に配され、軒先側の部分が前記軒先金具と前記軒先水切り部材に挟まれている、屋根構造。
【請求項２】
前記防火部材は、金属箔を含む防火シートである、請求項１に記載の屋根構造。
【請求項３】
前記防火部材は、前記金属箔の少なくとも片面に絶縁樹脂層を被覆した多層シートであり、
前記絶縁樹脂層は、前記金属箔よりも前記建材一体型太陽電池モジュール側に設けられている、請求項２に記載の屋根構造。
【請求項４】
前記防火部材は、平均厚みが６００μｍ以上１．８ｍｍ以下である、請求項２又は３に記載の屋根構造。
【請求項５】
少なくとも２つの防火部材を有し、
前記２つの防火部材は、重なり部分をもって前記軒棟方向に敷設されており、
前記２つの防火部材のうち、軒先側の防火部材を前記屋根下地に固定する固定部材を有し、
前記固定部材は、前記防火部材を貫通し、一部が前記屋根下地に挿入される挿入部を有し、
前記固定部材は、前記重なり部分にあり、さらに前記２つの防火部材のうち、棟側の防火部材によって覆われている、請求項２乃至４のいずれか１項に記載の屋根構造。
【請求項６】
前記軒先金具は、軸部を有する締結要素によって前記屋根下地に固定されており、
前記屋根下地は、挿入穴を有し、
前記締結要素は、前記軸部が前記防火部材を貫通し、前記挿入穴に挿入されており、
前記挿入穴と前記軸部の間に前記防火部材の一部が介在している、請求項２乃至５のいずれか１項に記載の屋根構造。
【請求項７】
前記防火部材は、前記軒棟方向に隣接する建材一体型太陽電池モジュールに跨り、且つ前記軒棟方向に隣接する建材一体型太陽電池モジュール全体と重なっている、請求項１乃至６のいずれか１項に記載の屋根構造。
【請求項８】
前記複数の建材一体型太陽電池モジュールは、桁行方向にも並設されており、
前記防火部材は、桁行方向に隣接する建材一体型太陽電池モジュールにも跨り、且つ前記桁行方向に隣接する建材一体型太陽電池モジュール全体と重なっている、請求項７に記載の屋根構造。
【請求項９】
複数の建材一体型太陽電池モジュールを建屋の屋根下地に対して軒棟方向に並設した屋根構造の製造方法であって、
屋根下地上の軒先部分に軒先水切り部材を取り付ける水切り取付工程と、
金属箔又は金属板を含み、かつ軒棟方向の長さが前記建材一体型太陽電池モジュールの２倍以上の長さの防火シートを用いて、前記軒先水切り部材上から前記屋根下地上に跨って前記防火シートを敷設する敷設工程と、
前記防火シート上に軒先金具を載置し、締結要素を前記防火シートに貫通させて前記軒先金具を屋根下地に固定する金具固定工程と、
前記軒先金具に建材一体型太陽電池モジュールの軒先側端部を保持させるモジュール保持工程を含む、屋根構造の製造方法。
【発明の詳細な説明】
【技術分野】
【０００１】
本発明は、建材一体型太陽電池モジュールを備えた屋根構造及びその製造方法に関する。
【背景技術】
【０００２】
従来から、太陽電池モジュールを屋根下地に取り付ける建材一体型の太陽電池モジュールが知られている（例えば、特許文献１）。
この建材一体型の太陽電池モジュールは、太陽電池としての光電変換機能と、瓦としての機能を備えており、野地板等の屋根下地に対して直接取り付けることが可能である。そのため、瓦とともに屋根下地に敷き詰めることで瓦と統一感のあり、意匠性の良好な屋根構造を構成できる。
【先行技術文献】
【特許文献】
【０００３】
【特許文献１】特開２０１７−２１８８６６号公報
【発明の概要】
【発明が解決しようとする課題】
【０００４】
しかしながら、建材一体型の太陽電池モジュールは、屋根下地に直接取り付けるので、通常の太陽電池モジュールに比べて屋根下地との距離が近くなる。そのため、不具合等により太陽電池モジュールの一部が発火すると、屋根下地に延焼する可能性がある。
【０００５】
本発明は、建材一体型太陽電池モジュールを備えた屋根構造であって、たとえ建材一体型太陽電池モジュールの一部が発火しても、屋根下地側への延焼を防止できる屋根構造及び屋根構造の製造方法を提供することを目的とする。
【課題を解決するための手段】
【０００６】
上記した課題を解決するための請求項１に記載の発明は、複数の建材一体型太陽電池モジュールを建屋の屋根下地に対して軒棟方向に並設した屋根構造であって、軒先金具と、軒先水切り部材と、防火部材を有し、前記軒先金具は、前記屋根下地の軒先部分に取り付けられ、前記建材一体型太陽電池モジュールの端部を保持するものであり、前記軒先水切り部材は、前記屋根下地の軒先部分に取り付けられ、前記屋根下地から軒棟方向下方側に張り出すものであり、前記防火部材は、金属箔又は金属板を含むものであって、軒棟方向の長さが前記建材一体型太陽電池モジュールの２倍以上の長さであり、前記防火部材は、前記建材一体型太陽電池モジュールと前記屋根下地との間に配され、軒先側の部分が前記軒先金具と前記軒先水切り部材に挟まれている、屋根構造である。
【０００７】
本発明の構成によれば、建材一体型太陽電池モジュールと屋根下地との間に建材一体型太陽電池モジュールの２倍以上もある防火部材が介在しているため、仮に建材一体型太陽電池モジュールの一部に不具合が生じて発火したとしても、防火部材によって屋根下地側への延焼を防止できる。
また本発明の構成によれば、防火部材の軒先側の部分が軒先金具と軒先水切り部材によって挟まれているため、防火部材に吹き上げ力が働いても、防火部材が屋根下地から剥がれにくい。
【０００８】
請求項２に記載の発明は、前記防火部材は、金属箔を含む防火シートである、請求項１に記載の屋根構造である。
【０００９】
本発明の構成によれば、防火部材が金属箔を含む防火シートであるため、実質的に厚み方向に水を通さず、防水機能も奏することができる。
また、本発明の構成によれば、防火部材が防水シートを兼ねるため、別途防水シートを設けなくてもよい。
【００１０】
請求項３に記載の発明は、前記防火部材は、前記金属箔の少なくとも片面に絶縁樹脂層を被覆した多層シートであり、前記絶縁樹脂層は、前記金属箔よりも前記建材一体型太陽電池モジュール側に設けられている、請求項２に記載の屋根構造である。
【００１１】
本発明の構成によれば、建材一体型太陽電池モジュール側からみて絶縁樹脂層が金属箔よりも手前にあるため、建材一体型太陽電池モジュールの他の建材一体型太陽電池モジュールや外部電源と接続可能な接続配線を防火部材上に直接置くことができる。
【００１２】
請求項４に記載の発明は、前記防火部材は、平均厚みが６００μｍ以上１．８ｍｍ以下である、請求項２又は３に記載の屋根構造である。
【００１３】
本発明の構成によれば、防火部材が薄いシートであるため、あらかじめ固定孔等を設けなくても直接釘等を打設することができ、作業性が良好である。また、ハサミ等によって所望の大きさに切断することも可能である。
【００１４】
請求項５に記載の発明は、少なくとも２つの防火部材を有し、前記２つの防火部材は、重なり部分をもって前記軒棟方向に敷設されており、前記２つの防火部材のうち、軒先側の防火部材を前記屋根下地に固定する固定部材を有し、前記固定部材は、前記防火部材を貫通し、一部が前記屋根下地に挿入される挿入部を有し、前記固定部材は、前記重なり部分にあり、さらに前記２つの防火部材のうち、棟側の防火部材によって覆われている、請求項２乃至４のいずれか１項に記載の屋根構造である。
【００１５】
本発明の構成によれば、軒先側の防火部材の棟側を固定する固定部材上に軒側の防火部材が覆っているため、挿入部と防火部材の隙間から水等が屋根下地側に流れることを防止できる。
【００１６】
請求項６に記載の発明は、前記軒先金具は、軸部を有する締結要素によって前記屋根下地に固定されており、前記屋根下地は、挿入穴を有し、前記締結要素は、前記軸部が前記防火部材を貫通し、前記挿入穴に挿入されており、前記挿入穴と前記軸部の間に前記防火部材の一部が介在している、請求項２乃至５のいずれか１項に記載の屋根構造である。
【００１７】
本発明の構成によれば、防火部材の一部が屋根下地の挿入穴と締結要素の軸部との間に入りこんでいるため、挿入穴に水等が入りにくく、より防水性能が高い。
【００１８】
請求項７に記載の発明は、前記防火部材は、前記軒棟方向に隣接する建材一体型太陽電池モジュールに跨り、且つ前記軒棟方向に隣接する建材一体型太陽電池モジュール全体と重なっている、請求項１乃至６のいずれか１項に記載の屋根構造である。
【００１９】
本発明の構成によれば、より防火性能が高い。
【００２０】
請求項８に記載の発明は、前記複数の建材一体型太陽電池モジュールは、桁行方向にも並設されており、前記防火部材は、桁行方向に隣接する建材一体型太陽電池モジュールにも跨り、且つ前記桁行方向に隣接する建材一体型太陽電池モジュール全体と重なっている、請求項７に記載の屋根構造である。
【００２１】
本発明の構成によれば、さらに防火性能が高い。
【００２２】
請求項９に記載の発明は、複数の建材一体型太陽電池モジュールを建屋の屋根下地に対して軒棟方向に並設した屋根構造の製造方法であって、屋根下地上の軒先部分に軒先水切り部材を取り付ける水切り取付工程と、金属箔又は金属板を含み、かつ軒棟方向の長さが前記建材一体型太陽電池モジュールの２倍以上の長さの防火シートを用いて、前記軒先水切り部材上から前記屋根下地上に跨って前記防火シートを敷設する敷設工程と、前記防火シート上に軒先金具を載置し、締結要素を前記防火シートに貫通させて前記軒先金具を屋根下地に固定する金具固定工程と、前記軒先金具に建材一体型太陽電池モジュールの軒先側端部を保持させるモジュール保持工程を含む、屋根構造の製造方法である。
【００２３】
本発明の方法によれば、仮に建材一体型太陽電池モジュールの一部に不具合が生じて発火したとしても、防火部材によって屋根下地側への延焼を防止できる。
本発明の方法によれば、防火部材の軒先側の部分が軒先金具と軒先水切り部材によって挟まれているため、防火部材に吹き上げ力が働いても、防火部材が屋根下地から剥がれにくい。
【発明の効果】
【００２４】
本発明によれば、たとえ建材一体型太陽電池モジュールの一部が発火しても、屋根下地側への延焼を防止できる。
【図面の簡単な説明】
【００２５】
【図１】本発明の第１実施形態の屋根構造を模式的に示した斜視図である。
【図２】図１の屋根構造の分解斜視図である。
【図３】図２の屋根下地と軒先水切り部材と防火シートの分解斜視図である。
【図４】図２の軒先金具と太陽電池モジュールと中間金具の分解斜視図である。
【図５】図１の屋根構造の一段目の太陽電池モジュール付近の断面図である。
【図６】図１の屋根構造の二段目の太陽電池モジュール付近の断面図である。
【図７】図４の太陽電池モジュールを裏面側からみた斜視図である。
【図８】図１の屋根構造の組み立て手順の説明図であり、屋根下地に軒先水切り部材を設置した状態を示す斜視図である。
【図９】図１の屋根構造の組み立て手順の説明図であり、防火シートを敷設する際の状況を示す斜視図である。
【図１０】図１の屋根構造の組み立て手順の説明図であり、軒先金具を屋根下地に取り付けた状態を示す斜視図である。
【図１１】図１の屋根構造の組み立て手順の説明図であり、一段目の中間金具を屋根下地に取り付けた状態を示す斜視図である。
【図１２】図１の屋根構造の組み立て手順の説明図であり、太陽電池モジュールを軒先金具及び中間金具に取り付ける際の状況を示す斜視図である。
【図１３】図１の屋根構造の組み立て手順の説明図であり、二段目の中間金具を屋根下地に取り付けた状態を示す斜視図である。
【図１４】図１の屋根構造の組み立て手順の説明図であり、太陽電池モジュールを中間金具に取り付ける際の状況を示す斜視図である。
【図１５】本発明の他の実施形態の屋根構造の組み立て手順の説明図であり、防火シートを敷設する際の状況を示す斜視図である。
【図１６】本発明の他の実施形態の屋根構造の組み立て手順の説明図であり、防火シートを敷設する際の状況を示す斜視図である。
【発明を実施するための形態】
【００２６】
以下、本発明の実施形態について詳細に説明する。
【００２７】
本発明の第１実施形態の屋根構造１は、図１のように、屋根下地２上に複数の太陽電池モジュール３が面状に広がりをもって敷設され、屋根下地２と太陽電池モジュール３の間に防火シート５（防火部材）が介在したものである。
屋根構造１は、図２〜図４のように、主要構成部材として、屋根下地２と、太陽電池モジュール３と、防火シート５と、軒先水切り部材６と、軒先金具７と、中間金具８と、固定部材１１と、締結要素１２を備えている。
【００２８】
屋根下地２は、屋根の下地となるものであり、具体的には、野地板である。
【００２９】
太陽電池モジュール３は、建材一体型太陽電池モジュールであり、太陽電池としての光電変換機能と、瓦としての建材機能を備えるものである。すなわち、太陽電池モジュール３は、スレート瓦等の瓦部材とともに屋根下地２に対して並設されるものである。
太陽電池モジュール３は、受光領域を有する受光面２０を有し、図７のように、受光面２０の反対面たる裏面に外部配線２２が配設された端子ボックス２１を有するものである。
太陽電池モジュール３は、面状に広がりを有する板状体であり、本実施形態では、四角形状である。
端子ボックス２１は、太陽電池モジュール３内の一又は複数の太陽電池に電気的に接続される内部配線を外部配線２２に接続するものである。
外部配線２２は、太陽電池モジュール３から電気を取り出す配線であって、他の太陽電池モジュール３又は外部負荷に接続する配線である。
外部配線２２は、先端部にコネクター部２３を備えている。
コネクター部２３は、他の太陽電池モジュール３のコネクター部２３又は外部負荷のコネクター部と接続可能な部位である。
【００３０】
防火シート５は、図５のように屋根下地２と太陽電池モジュール３の間に設けられ、太陽電池モジュール３側から屋根下地２側への延焼を防止するものである。
防火シート５は、図５の拡大図のように、金属箔３０の両面に絶縁樹脂層３１，３２が形成された多層シートである。
防火シート５は、ロール状に巻かれた状態から引き出され、必要に応じてハサミ等の切断手段によって所望の大きさや形に切り取られて使用されるものである。
【００３１】
防火シート５は、幅が太陽電池モジュール３の軒棟方向Ｙの長さの２倍以上となっており、長さも太陽電池モジュール３の桁行方向Ｘの長さの２倍以上となっている。すなわち、防火シート５は、複数の太陽電池モジュール３の裏面側を覆うことが可能となっている。
【００３２】
防火シート５の平均厚みは、６００μｍ以上１．８ｍｍ以下であることが好ましい。
この範囲であれば、防火機能を維持しつつ、ハサミ等の切断手段で加工が容易である。
【００３３】
金属箔３０は、防火性能を確保できれば、特に限定されるものではない。
金属箔３０としては、例えば、アルミニウム、銅、銀、金、白金などの純金属やステンレス鋼などの合金が使用できる。
本実施形態では、金属箔３０としてアルミニウム箔を使用している。
【００３４】
絶縁樹脂層３１，３２は、金属箔３０を保護する保護層であり、金属箔３０の酸化・腐食を防ぐ樹脂シートである。
絶縁樹脂層３１，３２は、絶縁性を有するものであれば特に限定されるものではない。絶縁樹脂層３１，３２は、ＰＥ（ポリエチレン）や、ＰＣ（ポリカーボネート）、ＰＥＴ（ポリエチレンテレフタラート）などの樹脂フィルムであることが好ましい。
【００３５】
軒先水切り部材６は、雨水等が屋根下地２の軒先部分から回り込んで建物の壁に伝わることを防止する部材である。
軒先水切り部材６は、図３のように、略「く」字状の部位であり、第１板部４５と、第２板部４６と、水切り固定孔４７を備えている。
第１板部４５は、屋根下地２に取り付けられる板状部位である。
第２板部４６は、第１板部４５の端部から所定の角度で折れ曲がった板状部位である。
水切り固定孔４７は、第１板部４５を厚み方向に貫通した貫通孔であり、締結要素１２の軸部９１を挿通可能な挿通孔である。
【００３６】
軒先金具７は、図５のように、屋根下地２の軒先部分に取り付けられ、太陽電池モジュール３の軒先側端部を保持する金具である。
軒先金具７は、図４のように、断面形状が略「コ」字状であり、受光側覆部５０と、裏面側覆部５１と、端面側覆部５２を備えており、覆部５０〜５２によって保持凹部５３が構成されている。
【００３７】
受光側覆部５０は、太陽電池モジュール３の受光面２０側を覆う部位である。
裏面側覆部５１は、受光側覆部５０と太陽電池モジュール３を挟んで対向し、太陽電池モジュール３の裏面側を覆う部位である。
裏面側覆部５１は、固定孔５５が設けられている。
固定孔５５は、裏面側覆部５１を厚み方向に貫通した貫通孔であり、締結要素１２の軸部９１を挿通可能な挿通孔である。
端面側覆部５２は、受光側覆部５０の軒先側端部と裏面側覆部５１の軒先側端部を接続する接続部であり、太陽電池モジュール３の軒先側端面を覆う部位である。
保持凹部５３は、太陽電池モジュール３の軒先側端部を保持する保持部であり、太陽電池モジュール３の軒先側端部を挿着可能となっている。
【００３８】
中間金具８は、図５，図６のように、軒棟方向Ｙに隣接する太陽電池モジュール３，３の端部間を保持する金具であり、図４のように、軒先側保持凹部６０と、棟側保持凹部６１と、中間固定部６２を備えている。
軒先側保持凹部６０は、軒先側の太陽電池モジュール３の棟側端部を保持する保持部であり、軒先側の太陽電池モジュール３の棟側端部を挿着可能となっている。
棟側保持凹部６１は、棟側の太陽電池モジュール３の軒先側端部を保持する保持部であり、棟側の太陽電池モジュール３の棟側端部を挿着可能となっている。
中間固定部６２は、締結要素１２によって屋根下地２に固定する部位であり、締結要素１２を挿通可能な固定孔６３を備えている。
【００３９】
固定部材１１は、防火シート５を屋根下地２に固定する部材であり、図３のように、少なくとも２つの挿入部８０，８１と、接続部８２を備えている。
挿入部８０，８１は、防火シート５を貫通し、屋根下地２に挿入される棒状の部位である。
接続部８２は、挿入部８０，８１の長手方向の端部間を接続する部位であり、挿入部８０，８１の長手方向に対して交差する方向に延びている。
【００４０】
締結要素１２は、軒先水切り部材６、金具７，８を屋根下地２に取り付ける部材である。
本実施形態の締結要素１２は、頭部９０と、軸部９１を備えたねじであり、導電性を有している。
【００４１】
続いて、第１実施形態の屋根構造１の各部材の位置関係について説明する。
【００４２】
太陽電池モジュール３は、図１，図２のように、屋根下地２上に面状に広がりをもって敷き詰められている。具体体には、太陽電池モジュール３は、桁行方向Ｘ及び軒棟方向Ｙに並設されている。
防火シート５は、軒棟方向Ｙの延び、軒棟方向Ｙに隣接する太陽電池モジュール３，３に跨って設けられており、軒棟方向Ｙに隣接する太陽電池モジュール３，３の裏面側の全体を覆っている。また、防火シート５は、桁行方向Ｘにも延び、桁行方向Ｘに隣接する太陽電池モジュール３，３にも跨って設けられており、桁行方向Ｘに隣接する太陽電池モジュール３，３の裏面側の全体を覆っている。
端子ボックス２１は、図５のように、屋根下地２を基準として、防火シート５の外側に位置している。
【００４３】
続いて、第１実施形態の屋根構造１の組み立て手順に沿って、各工程のおける各部材の位置関係について説明する。すなわち、屋根構造１の製造方法について説明する。
【００４４】
まず、図８のように、締結要素１２によって屋根下地２上の軒先部分に軒先水切り部材６を取り付ける（水切り取付工程）。
【００４５】
このとき、軒先水切り部材６は、屋根下地２上に第１板部４５が載置されており、第２板部４６は、屋根下地２の軒先端部から軒棟方向Ｙ下方側に張り出している。締結要素１２は、水切り固定孔４７を通過して屋根下地２に打設されており、屋根下地２には、締結要素１２の軸部９１によって挿入穴９６が形成されている。すなわち、締結要素１２は、軸部９１が水切り固定孔４７を通過し、軸部９１の先端部が屋根下地２の挿入穴９６に挿入されている。
【００４６】
続いて、図９のように、ロール状に巻かれた防火シート５から防火シート５を引き出し、防火シート５を軒先水切り部材６の第１板部４５の水切り固定孔４７と重なるように桁行方向Ｘに敷設する。
そして、固定部材１１を打設して防火シート５を屋根下地２上に固定し、必要に応じて屋根下地２の外形に沿って防火シート５をハサミ等の切断手段によって所望の形状に切断する（敷設工程）。
本実施形態では、軒先側から防火シート５を軒棟方向Ｙに敷設していき、固定部材１１を打設して防火シート５を屋根下地２上に固定していく。
【００４７】
このとき、各防火シート５は、幅が軒棟方向Ｙを向き、桁行方向Ｘに延びている。最も軒先側に位置する防火シート５ａは、軒先水切り部材６の第１板部４５上から屋根下地２上に跨って敷設されている。棟側の防火シート５ｂは、軒先側の防火シート５ａと軒棟方向Ｙに重なり部分をもって敷設されており、軒先側の防火シート５ａを固定する固定部材１１の少なくとも一つが当該重なり部分に位置している。すなわち、少なくとも一つの固定部材１１は、棟側の防火シート５ｂに覆われている。
【００４８】
続いて、図１０のように、最も軒先側に位置する防火シート５ａ上に軒先金具７を載置し、締結要素１２を防火シート５ａに貫通させて軒先金具７を屋根下地２に固定する（軒先金具固定工程）。
【００４９】
このとき、締結要素１２は、図５のように、軸部９１が防火シート５及び屋根下地２に跨って打設されており、屋根下地２には、締結要素１２の軸部９１によって挿入穴９５が形成されている。すなわち、締結要素１２は、軸部９１が防火シート５を貫通し、軸部９１の先端部が屋根下地２の挿入穴９５に挿入されている。屋根下地２の挿入穴９５と締結要素１２の軸部９１の間には、図５の拡大図のように、防火シート５の一部が介在している。
【００５０】
続いて、図１１のように、防火シート５ａ上に中間金具８を載置し、締結要素１２を防火シート５ａに貫通させて中間金具８ａを屋根下地２に固定する（中間金具固定工程）。
【００５１】
このとき、中間金具８ａは、軒先金具７に対して軒棟方向Ｙに間隔を空けて配されている。また、締結要素１２は、図５のように、軸部９１が防火シート５及び屋根下地２に跨って打設されており、屋根下地２には、締結要素１２の軸部９１によって挿入穴９７が形成されている。すなわち、締結要素１２は、軸部９１が防火シート５を貫通し、軸部９１の先端部が屋根下地２の挿入穴９７に挿入されている。
【００５２】
続いて、図１２のように、軒先金具７によって太陽電池モジュール３ａの軒先側端部を保持させ、中間金具８によって太陽電池モジュール３ａの棟側端部を保持させる（第１モジュール保持工程）。
【００５３】
このとき、太陽電池モジュール３ａは、図５のように、軒先側端部が軒先金具７の保持凹部５３に挿入されており、棟側端部が中間金具８の軒先側保持凹部６０に挿入されている。
【００５４】
続いて、図１３のように、中間金具固定工程を再度行い、中間金具８ｂを屋根下地２に取り付ける。
【００５５】
このとき、中間金具８ｂは、軒先側の中間金具８ａに対して軒棟方向Ｙに間隔を空けて配されている。
【００５６】
続いて、図１４のように、軒先側の中間金具８ａによって太陽電池モジュール３ｂの軒先側端部を保持させ、棟側の中間金具８ｂによって太陽電池モジュール３ｂの棟側端部を保持させる（第２モジュール保持工程）。
【００５７】
このとき、太陽電池モジュール３ｂは、図６のように、軒先側端部が軒先側の中間金具８ａの棟側保持凹部６１に挿入されており、棟側端部が棟側の中間金具８ｂの軒先側保持凹部６０に挿入されている。
【００５８】
上記と同様、中間金具固定工程と第２モジュール保持工程を繰り返して、中間金具８を防火シート５に取り付け、太陽電池モジュール３を中間金具８に取り付けていき、太陽電池モジュール３を敷き詰めていく。
【００５９】
第１実施形態の屋根構造１によれば、太陽電池モジュール３と屋根下地２との間に太陽電池モジュール３の２倍以上もある防火シート５が介在している。すなわち、太陽電池モジュール３と屋根下地２は、防火シート５によって縁切りされているため、仮に太陽電池モジュール３の端子ボックス２１やコネクター部２３等に不具合が生じて発火したとしても、防火シート５によって屋根下地２側への延焼を防止できる。また、隣接する太陽電池モジュール３のコネクター部２３同士を防火シート５の外側で接続でき、コネクター部２３，２３の接続部分を防火シート５上に直接載置することもできる。
第１実施形態の屋根構造１によれば、防火シート５の軒先側の部分が軒先金具７と軒先水切り部材６によって挟まれているため、防火シート５に吹き上げ力が働いても、防火シート５が屋根下地２から剥がれにくい。
【００６０】
第１実施形態の屋根構造１によれば、軒先金具７や中間金具８が締結要素１２を介して防火シート５内の金属箔３０と電気的に接続されているため、金属箔３０をアースとして機能させることができ、安全性が高い。
【００６１】
上記した実施形態では、屋根下地２上の全面に複数枚の防火シート５を重なり部分をもって敷き詰めていたが、本発明はこれに限定されるものではない。図１５のように、一枚の防火シート５を屋根下地２上の全面に敷いてもよい。
【００６２】
上記した実施形態では、桁行方向Ｘに防火シート５を延ばして、複数の防火シート５を軒棟方向Ｙに敷設したが、本発明はこれに限定されるものではない。図１６のように、軒棟方向Ｙに防火シート５を延ばして、複数の防火シート５を桁行方向Ｘに敷設してもよい。
【００６３】
上記した実施形態では、施工現場にて、ロール状に巻かれた防火シート５から所望長さの防火シート５を引き出し、切り取ることで防火シート５の形状を屋根下地２の形状に合わせて施工したが、本発明はこれに限定されるものではない。あらかじめ屋根下地２の形状に合わされた防火シート５を施工現場に搬入して施工してもよい。
【００６４】
上記した実施形態では、屋根構造１が切妻屋根を構成する場合について説明したが、本発明はこれに限定されるものではない。屋根構造１は、寄棟屋根等の他の屋根を構成してもよい。
【００６５】
上記した実施形態では、防火部材として、金属箔３０を含む防火シート５である場合について説明したが、本発明はこれに限定されるものではない。防火部材として金属板を含む防火板を使用してもよい。
【００６６】
上記した実施形態は、本発明の技術的範囲に含まれる限り、各実施形態間で各構成部材を自由に置換や付加できる。
【符号の説明】
【００６７】
１  屋根構造
２  屋根下地
３  太陽電池モジュール
５，５ａ，５ｂ  防火シート（防火部材）
６  軒先水切り部材
７  軒先金具
１１  固定部材
１２  締結要素
２０  受光面
３０  金属箔
３１，３２  絶縁樹脂層
５３  保持凹部
５５  固定孔
６０  軒先側保持凹部
６１  棟側保持凹部
６３  固定孔
７０  固定孔
８０，８１  挿入部
９１  軸部
９５  挿入穴
【図１】
2020186584.tif 000003
【図２】
2020186584.tif 000004
【図３】
2020186584.tif 000005
【図４】
2020186584.tif 000006
【図５】
2020186584.tif 000007
【図６】
2020186584.tif 000008
【図７】
2020186584.tif 000009
【図８】
2020186584.tif 000010
【図９】
2020186584.tif 000011
【図１０】
2020186584.tif 000012
【図１１】
2020186584.tif 000013
【図１２】
2020186584.tif 000014
【図１３】
2020186584.tif 000015
【図１４】
2020186584.tif 000016
【図１５】
2020186584.tif 000017
【図１６】
2020186584.tif 000018